(57)【要約】【課題】所定期間での消費電力に影響を及ぼす制御が実行されたことと、その効果とを確認することができる表示方法、プログラム及び表示システムを提供する。【解決手段】表示方法は、表示部３１を有する情報端末３に情報を表示する。表示方法は、電力情報と、制御情報とを、表示部３１に表示する表示ステップを、含む。電力情報は、施設５におけるデマンド時限での消費電力量に関する情報である。制御情報は、デマンド時限での消費電力量に影響を及ぼす制御に関する情報であって制御を行ったタイミングに関するタイミング情報を含む。【選択図】図１
2018121477.tif 000002
【特許請求の範囲】
【請求項１】
表示部を有する情報端末に情報を表示する表示方法であって、
施設における所定期間での消費電力量に関する電力情報と、前記所定期間での前記消費電力量に影響を及ぼす制御に関する情報であって前記制御を行ったタイミングに関するタイミング情報を含む制御情報とを、前記表示部に表示する表示ステップを、
含む表示方法。
【請求項２】
前記制御情報は、前記所定期間で行われた複数の前記制御のうち少なくとも１つの前記制御の内容をさらに含む
請求項１に記載の表示方法。
【請求項３】
前記制御情報は、前記所定期間で行われたすべての前記制御の内容を含む
請求項２に記載の表示方法。
【請求項４】
前記制御は、前記消費電力量が低下するように前記施設の機器の動作を抑止する、又は動作が抑止された前記機器に対して前記動作の抑止を解除することである
請求項１〜３のいずれか一項に記載の表示方法。
【請求項５】
前記電力情報は、前記所定期間の開始時点から前記消費電力量の推移を表す推移情報を含む
請求項１〜４のいずれか一項に記載の表示方法。
【請求項６】
前記表示ステップは、
前記タイミング情報と、前記推移情報とを同一の時間軸上で、前記表示部に表示する
請求項５に記載の表示方法。
【請求項７】
前記表示ステップは、さらに、
前記所定期間での前記消費電力量に対する前記施設における目標値を表す目標値情報を、前記表示部に表示する
請求項１〜６のいずれか一項に記載の表示方法。
【請求項８】
前記表示ステップは、さらに、
前記所定期間の開始時点における消費電力量が前記目標値情報で表される前記目標値より得られる値であって前記目標値より小さい値に到達するまでの基準値について前記所定期間の開始時点からの推移を表す基準値情報を、前記表示部に表示する
請求項７に記載の表示方法。
【請求項９】
前記表示ステップは、さらに、
前記制御の詳細を表示する画面に遷移するための情報、又は前記制御の内容を変更する画面に遷移するための情報を含む遷移情報を、前記表示部に表示する
請求項１〜８のいずれか一項に記載の表示方法。
【請求項１０】
前記制御は、前記施設で使用する電力についてのデマンド制御である
請求項１〜９のいずれか一項に記載の表示方法。
【請求項１１】
コンピュータに、
請求項１〜１０のいずれか一項に記載の表示方法を、
実行させるためのプログラム。
【請求項１２】
表示部を有する情報端末に情報を表示する表示システムであって、
施設における所定期間での消費電力量についての電力情報と、前記所定期間での前記消費電力量に影響を及ぼす制御についての情報であって前記制御を行ったタイミングに関するタイミング情報を含む制御情報とを、前記表示部に表示する表示制御部を、
備える表示システム。
【発明の詳細な説明】
【技術分野】
【０００１】
本発明は、表示方法、プログラム及び表示システムに関し、より詳細には、施設における情報を表示部に表示する表示方法、プログラム及び表示システムに関する。
【背景技術】
【０００２】
従来、機器による電力消費のためのデマンド制御を実行するためのシステムが提案されている（例えば、特許文献１参照）。
【０００３】
特許文献１では、施設の利用者に不快感を与えることなく、効率的に消費電力（消費電力量）を削減するようにデマンド制御を行うデマンド制御システムが記載されている。
【先行技術文献】
【特許文献】
【０００４】
【特許文献１】特開２００９−２４００３２号公報
【発明の概要】
【発明が解決しようとする課題】
【０００５】
施設の施主（建主）または施設の工事を請け負った工事店の担当者等は、デマンド制御システムに対して予め設定したデマンド制御（消費電力量に影響を及ぼす制御）がデマンド時限（所定期間）において正常に実行され、デマンド制御を実行したことによる効果を確認することが、現状できない。
【０００６】
そこで、本発明は上記事由に鑑みてなされており、所定期間での消費電力に影響を及ぼす制御が実行されたことと、その効果とを確認することができる表示方法、プログラム及び表示システムを提供することを目的とする。
【課題を解決するための手段】
【０００７】
本発明の一態様に係る表示方法は、表示部を有する情報端末に情報を表示する。前記表示方法は、電力情報と、制御情報とを、前記表示部に表示する表示ステップを、含む。前記電力情報は、施設における所定期間での消費電力量に関する情報である。前記制御情報は、前記所定期間での前記消費電力量に影響を及ぼす制御に関する情報であって前記制御を行ったタイミングに関するタイミング情報を含む。
【０００８】
本発明の一態様に係るプログラムは、コンピュータに、上述した表示方法を、実行させるためのプログラムである。
【０００９】
本発明の一態様に係る表示システムは、表示部を有する情報端末に情報を表示する。前記表示システムは、電力情報と、制御情報とを、前記表示部に表示する表示制御部を、備える。前記電力情報は、施設における所定期間での消費電力量についての情報である。前記制御情報は、前記所定期間での前記消費電力量に影響を及ぼす制御についての情報であって前記制御を行ったタイミングに関するタイミング情報を含む。
【発明の効果】
【００１０】
本発明によると、所定期間での消費電力に影響を及ぼす制御が実行されたことと、その効果とを確認することができる。
【図面の簡単な説明】
【００１１】
【図１】図１は、本発明の実施形態に係る表示システムの構成を示すブロック図である。
【図２】図２は、同上の表示システムを含むシステムの構成図である。
【図３】図３は、同上の表示システムが表示する情報表示画面の一例を示す図である。
【図４】図４は、同上の表示システムが表示する情報表示画面の変形例を示す図である。
【図５】図５は、同上の表示システムが表示するリアルタイムの制御情報、平均消費電力を表示する場合の情報表示画面を示す図である。
【発明を実施するための形態】
【００１２】
以下に説明する実施形態及び変形例は、本発明の一例に過ぎず、本発明は、実施形態及び変形例に限定されない。この実施形態及び変形例以外であっても、本発明に係る技術的思想を逸脱しない範囲であれば、設計等に応じて種々の変更が可能である。
【００１３】
（実施形態）
本実施形態に係る表示方法、プログラム及び表示システムについて説明する。
【００１４】
（１）全体概要
本実施形態では、施設における所定期間での消費電力量に関する電力情報と、消費電力量に影響を及ぼす制御に関する制御情報とを表示する機能を、基本的な機能として有する表示システムについて説明する。なお、制御情報には、制御を行ったタイミングに関するタイミング情報を含んでいる。
【００１５】
本実施形態においては、コンピュータシステムが備える表示システム１０は、図１、図２に示すように、情報端末３に表示するコンテンツを作成するサーバ１にて構成される。ここでいう「施設」は、電力の供給を受けるオフィスビル、商業施設、病院、福祉施設、ホテル又は工場等の非住宅の施設を意味している。「施設」は、電力会社等の電気事業者から電力の供給を受ける施設だけでなく、太陽光発電設備等の発電設備から電力の供給を受ける施設も含む。施設は、ビル等の非住宅用の建物に限らず、集合住宅、又は戸建住宅等であってもよい。
【００１６】
サーバ１は、図２に示すように、施設５に設けられたコントローラ２１にネットワーク４を介して接続される。また、サーバ１は、図２に示すように、表示部３１を備える情報端末３にネットワーク４を介して接続される。
【００１７】
施設５には、複数の機器５０が設けられている。複数の機器５０は、例えば照明器具５０ａ〜５０ｃ、空調機器５０ｄ〜５０ｅ等である。複数の機器５０は、コントローラ２１と通信可能である複数の入出力装置（Ｉ／Ｏ装置）２５と、一対一に通信可能である。  
【００１８】
コントローラ２１とＩ／Ｏ装置２５の各々との間の通信方式、及びＩ／Ｏ装置２５と機器５０との間の通信方式は、例えば、ＲＳ２３２Ｃ、ＲＳ４８５等の有線通信である。なお、コントローラ２１とＩ／Ｏ装置２５の各々との間の通信方式、及びＩ／Ｏ装置２５と機器５０との間の通信方式は、Ｗｉ−Ｆｉ（登録商標）あるいは免許を必要としない小電力無線（特定小電力無線）等の無線通信であってもよい。この種の小電力無線については、用途等に応じて使用する周波数帯域や空中線電力などの仕様が各国で規定されている。日本国においては、９２０ＭＨｚ帯又は４２０ＭＨｚ帯の電波を使用する小電力無線が規定されている。
【００１９】
コントローラ２１は、主な機能として、施設５の最大需要電力の増加を抑制するためのデマンド制御機能を有している。ここでいう「最大需要電力」は、受電点デマンド電力、又はデマンド値とも呼ばれており、所定（例えば、３０分毎）のデマンド時限における平均消費電力（消費電力の平均値）のうち、各月（１ヶ月間）において最大となる値である。そして、過去１年間の最大需要電力のうちで最大となる値は「契約電力」と呼ばれ、この契約電力に基づいて需要家（施設５の管理者、又は使用者）が電力会社等の電気事業者に支払う電気料金が決まる制度がある。このような制度のもとでは、コントローラ２１が施設５の最大需要電力を抑制することは、電気料金の抑制につながる。要するに、コントローラ２１は、デマンド制御機能により、施設５でのデマンド時限における平均消費電力の増加を抑制し、「最大需要電力」を現在の契約電力以下に抑えて、電気料金の上昇を抑制可能である。平均消費電力の増加の抑制は、基本的には、施設５の複数の機器５０のうち少なくとも１つの機器５０（図２参照）を制御することで実現される。
【００２０】
ここにおいて、最大需要電力はデマンド時限における平均消費電力の１ヶ月間の最大値であるが、デマンド時限における平均消費電力は、デマンド時限における消費電力量（消費電力の時間積分値）に定数（所定の係数）を掛けることにより表される。例えば、デマンド時限が３０分間である場合には、デマンド時限の消費電力量であるｘ〔ｋＷｈ〕を２倍することで１時間の消費電力量である２ｘ〔ｋＷｈ〕が得られる。このときのデマンド時限における平均消費電力は、デマンド時限における消費電力量に定数（ここでは「２」）を掛けた値、つまり２ｘ〔ｋＷ〕となる。したがって、デマンド制御において、デマンド時限における消費電力量を、ある目標値（デマンド目標値）以下に抑制することは、デマンド時限における平均消費電力を、ある電力目標値（デマンド目標値の２倍）以下に抑制することと等価である。そこで、コントローラ２１は、デマンド制御として、デマンド時限の消費電力量がデマンド目標値を超えないように施設５の機器５０を制御することにより、デマンド時限の平均消費電力の増加を抑制する。
【００２１】
コントローラ２１は、電流センサ２２で計測された電流の値を基に施設５のデマンド時限における平均消費電力を求め、サーバ１へ送信する。コントローラ２１は、デマンド制御を行うと、デマンド制御に関する制御情報を、サーバ１へ送信する。
【００２２】
複数のＩ／Ｏ装置２５のそれぞれは、接続された機器５０に対する制御コマンドをコントローラ２１から受け取ると、受け取った制御コマンドに従って機器５０を制御する。例えば、Ｉ／Ｏ装置２５は、制御コマンドに応じて、機器５０の電源のオン、オフを制御する。Ｉ／Ｏ装置２５は、機器５０が接続された接点出力を備えている。コントローラ２１が、Ｉ／Ｏ装置２５に対して接点出力のオン、オフを指示することで、機器５０のオン、オフを制御する。
【００２３】
また、Ｉ／Ｏ装置２５は、制御対象が照明器具５０ａ〜５０ｃのうち少なくとも１つの照明器具である場合、制御コマンドに応じて照明器具の調光を制御する（例えば、照明を暗くするよう制御する）。また、Ｉ／Ｏ装置２５は、制御対象が空調機器５０ｄ〜５０ｅのうち少なくとも１つの空調機器である場合、制御コマンドに応じて空調機器の設定温度、及び風量のうち少なくとも１つを制御する。
【００２４】
情報端末３は、表示システム１０（サーバ１）で出力された情報（コンテンツ）を表示部３１に表示する。これにより、情報端末３は、表示システム１０で作成された情報（コンテンツ）を、情報端末３の所有者に対して提示することが可能となる。ここで、所有者は、例えば、施設５の工事を依頼した施主（建主）または工事を請け負った工事店の担当者等である。
【００２５】
（２）構成
次に、本実施形態に係る表示システム１０、計測システム２０及び情報端末３の構成について説明する。
【００２６】
（２．１）計測システム
まず、本実施形態の計測システム２０の構成について説明する。
【００２７】
計測システム２０は、図２に示すように、コントローラ２１と、電流センサ２２とを備えている。
【００２８】
コントローラ２１は、電流センサ２２に電気的に接続されている。電流センサ２２は、受変電設備６１の一次側に設けられ、幹線を流れる電流の値を計測する。また、コントローラ２１は、施設５に設けられた複数の分岐回路に流れる電流の値をそれぞれ計測する。ここでいう「分岐回路」は、受変電設備６１及び複数の分岐ブレーカ６２にて幹線から分岐された各回路を意味する。分岐回路には、分岐ブレーカ６２に接続される配線、照明器具や調理家電等の機器５０、コンセント（アウトレット）、壁スイッチ等を含んでいる。
【００２９】
コントローラ２１は、電気的に接続された電流センサ２２の出力を用いて、施設５における消費電力と消費電力量との少なくとも一方を計測する。コントローラ２１は、計測された計測値（実測値）を、施設５に設けられたルータ７を介してサーバ１へ送信する。
【００３０】
つまり、実測値は、瞬時電力を表す消費電力であってもよいし、あるいは一定時間における電力の消費量（使用量）を表す消費電力量であってもよい。また、実測値は、消費電力と消費電力量との両方であってもよい。本実施形態では一例として、実測値は、消費電力を一定時間（例えば正時から３０分間隔）で積算した消費電力量に定数を乗算した値（平均消費電力）である。
【００３１】
コントローラ２１は、実測値を基に、複数の機器５０のうち少なくとも１つの機器５０に対してデマンド制御を行う。
【００３２】
以下、デマンド制御について説明する。
【００３３】
コントローラ２１は、デマンド時限における消費電力量から求めた平均消費電力に基づいて、当該デマンド時限の終了までに平均消費電力が電力目標値を超える可能性があるか否かを判断する。可能性があると判断する場合には、コントローラ２１は、予め設定されたデマンド制御の設定内容に従って、機器５０を制御する。
【００３４】
設定内容には、制御方式と切替方式とが含まれている。
【００３５】
制御方式には、優先方式及びサイクリック方式がある。設定内容に含まれる制御方法には、優先方式及びサイクリック方式のうちいずれかが設定される。優先方式は、予め設定されている複数の制御内容（制御パターン）のそれぞれに優先順位が割り当てられており、優先順位に従って機器５０を制御する方式である。サイクリック方式は、複数の制御パターンのうちある時点までに用いられなかった１つ以上の制御パターンが次回の制御に用いられるように繰り越される方式である。利用可能なすべての制御パターンが用いられると、次回の制御においては、利用可能なすべての制御パターンが利用対象となる。
【００３６】
切替方式は、順次切替方式及び容量切替方式のいずれかを含んでいる。順次切替方式は、複数の制御パターンについて制御パターンを順次切り替えて機器５０を制御、つまり平均消費電力を制御する方式である。容量切替方式は、複数の制御パターンのうちデマンド時限の終了までに平均消費電力が電力目標値を超えないような１つの制御パターン、又は２つ以上の制御パターンの組み合わせで機器５０を制御、つまり平均消費電力を制御する方式である。
【００３７】
本実施形態では、コントローラ２１は、９つの制御パターン（第１パターン〜第９パターン）を予め記憶している。第１パターン〜第７パターンの各々には、制御対象となる機器５０と、当該機器５０に対して平均消費電力が小さくなるように制御することを表す情報とが含まれている。第８パターンには、第１パターン〜第７パターンのすべてを実行することを表す情報が含まれている。第９パターンには、デマンド制御を解除することを表す情報、つまりデマンド制御されたすべての機器５０の平均消費電力が大きくなるように制御することを表す情報が含まれている。
【００３８】
コントローラ２１は、デマンド時限における実測値（平均消費電力）に関する電力情報と、デマンド制御に関する制御情報と、第１情報及び第２情報とを、ネットワーク４を介してサーバ１へ送信する。電力情報は、デマンド時限における実測値（平均消費電力）を少なくとも含んでいる。制御情報は、デマンド制御に用いた制御パターン（制御内容）、デマンド制御を行ったタイミングである制御時刻（タイミング情報）、及びデマンド制御時に設定されている設定内容（制御方式及び切替方式）を含んでいる。第１情報は、デマンド時限における目標電力（目標値）に関する情報である。第２情報は、デマンド時限において目標電力を超えるか否かの判断基準となる基準電力を求めるための情報であり、デマンド時限における平均消費電力の最小値（ここでは、値“０”）と、後述する第２境界値とを含む。
【００３９】
（２．２）表示システム
次に、本実施形態の表示システム１０の構成について説明する。
【００４０】
表示システム１０は、上述したように、本実施形態ではサーバ１にて構成されている。サーバ１は、情報端末３及びコントローラ２１にネットワーク４を介して接続される。
【００４１】
サーバ１は、図１に示すように、記憶部１１と、処理部１２と、通信部１３とを備える。サーバ１は、ＣＰＵ（Central Processing Unit）及びメモリを有している。ＣＰＵがメモリに格納されているプログラムを実行することにより、処理部１２の機能を実現する。プログラムは、ここではインターネット等の電気通信回線を通じて、あるいはメモリカード等の記録媒体に記録されて提供されるが、コンピュータのメモリに予め記録されていてもよい。
【００４２】
記憶部１１は、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部１１は、計測システム２０から取得した施設５における実測値（デマンド時限における平均消費電力）の情報、及び制御情報を記憶する。
【００４３】
処理部１２は、図１に示すように、取得部１４及び表示制御部１５を有している。
【００４４】
取得部１４は、計測システム２０（コントローラ２１）で計測された実測値（デマンド時限における平均消費電力）をコントローラ２１から取得して、実測値に計測された時刻を対応付けて記憶部１１に記憶する。取得部１４は、コントローラ２１が複数の機器５０のうち少なくとも１つの機器５０に対して行った制御に関する制御情報をコントローラ２１から取得して、制御情報に制御が行われた時刻を対応付けて記憶部１１に記憶する。取得部１４は、第１情報及び第２情報をコントローラ２１から取得して、記憶部１１に記憶する。
【００４５】
表示制御部１５は、情報端末３からの要求に応じた画面を作成し、情報端末３の表示部３１に表示する。表示制御部１５は、記憶部１１で記憶されている施設５における所定期間での消費電力量、当該期間における制御情報、第１情報及び第２情報を基に、表示部３１に表示する画面（コンテンツ）を作成し、表示部３１に表示する。具体的には、表示制御部１５は、作成した画面を情報端末３に送信し、表示部３１に表示させる。
【００４６】
通信部１３は、ネットワーク４に接続されることで、サーバ１と情報端末３との間、及びサーバ１とコントローラ２１との間の通信を可能にする。
【００４７】
（２．３）情報端末
次に、本実施形態の情報端末３の構成について説明する。
【００４８】
情報端末３は、一例として表示部３１を備えるタブレット端末である。情報端末３は、図１に示すように、表示部３１の他、処理部３２と、通信部３３と、入力部３４と、記憶部３５とを備える。情報端末３は、ＣＰＵ及びメモリを有しており、ＣＰＵがメモリに格納されているプログラムを実行することにより、コンピュータを処理部３２として機能させる。プログラムは、ここではインターネット等の電気通信回線を通じて、あるいはメモリカード等の記録媒体に記録されて提供されるが、コンピュータのメモリに予め記録されていてもよい。
【００４９】
表示部３１は、例えば液晶ディスプレイや有機ＥＬ（electroluminescence）ディスプレイのような薄型のディスプレイ装置である。
【００５０】
処理部３２は、表示部３１を制御することにより、表示制御部１５で作成された画面を表示部３１に表示する機能を持つ。つまり、情報端末３は、専用のアプリケーションソフトをインストールし、このアプリケーションソフトを起動することにより、表示部３１を制御するための処理部３２としての機能を実現する。
【００５１】
通信部３３は、ネットワーク４に接続されることで、情報端末３とサーバ１（表示システム１０）との間の通信を可能にする。ここでは、情報端末３はタブレット端末であり、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、通信部３３は、公衆無線ＬＡＮ（Local Area Network）を介してネットワーク４に接続されてもよい。
【００５２】
入力部３４は、情報端末３の所有者の操作を受け付ける機能を有している。本実施形態では、情報端末３はタッチパネルディスプレイを搭載したタブレット端末であり、タッチパネルディスプレイが表示部３１及び入力部３４として機能する。そのため、以下の説明では、表示部３１に表示される画面上のボタンに対する種々のタッチ操作を、「タップ」等と表現する。ただし、入力部３４は、タッチパネルディスプレイに限らず、例えばキーボードやポインティングデバイス、メカニカルなスイッチ等であってもよい。
【００５３】
記憶部３５は、例えばフラッシュメモリ等の電気的に書換可能な不揮発性の半導体メモリで構成される。
【００５４】
情報端末３は、上記構成によりサーバ１で作成された画面（コンテンツ）を表示することができる。
【００５５】
なお、情報端末３がタブレット端末で構成されることは一例である。情報端末３は、携帯電話機、スマートフォン、パーソナルコンピュータ等で構成されてもよい。
【００５６】
（３）動作
以下、本実施形態に係る表示システム１０の動作について説明する。
【００５７】
まず、電力情報と制御情報とを表示部３１に表示する場合の表示システム１０の動作について説明する。
【００５８】
本実施形態に係るプログラムは、情報端末３の表示部３１に、施設５における所定期間での消費電力量に関する電力情報と、消費電力量に影響を及ぼす制御に関する制御情報と、第１電力及び第２電力とを表示するためのプログラムである。つまり、本実施形態に係るプログラムは、サーバ１のコンピュータを、取得部１４及び表示制御部１５として機能させるためのプログラムである。
【００５９】
取得部１４は、計測システム２０（コントローラ２１）で計測された実測値をコントローラ２１から取得して、実測値に計測した時刻を対応付けて記憶部１１に記憶する。取得部１４は、コントローラ２１が複数の機器５０のうち少なくとも１つの機器５０に対して行った制御に関する制御情報を取得して、制御情報に制御が行われた時刻を対応付けて記憶部１１に記憶する。取得部１４は、第１情報及び第２情報をコントローラ２１から取得して、記憶部１１に記憶する。
【００６０】
表示制御部１５は、記憶部１１で記憶している実測値（デマンド時限における平均消費電力）と制御情報と、第１情報及び第２情報とを用いて、デマンド時限における消費電力量に関する電力情報と制御情報と、目標電力及び基準電力とを含む画面を作成する。表示制御部１５は、作成した画面を表示部３１に表示する。
【００６１】
（４）画面
ここでは、表示部３１で表示する画面について説明する。
【００６２】
表示部３１は、サーバ１で作成させた画面であってデマンド時限における消費電力量に関する電力情報と制御情報とを含む画面（情報表示画面１００）を表示する。
【００６３】
本実施形態の情報表示画面１００は、図３に示すように、画面情報表示領域１０１、グラフ表示領域１０２、リンク情報表示領域１０３、デマンド電力表示領域１０４、制御情報表示領域１０５及び出力指示表示領域１０６を含む。なお、図３の参照符号及び領域を囲む一点鎖線は、説明のために記載しているのみであり、実際の画面には表示されない。
【００６４】
画面情報表示領域１０１は、図３に示すように、第１ボタン表示領域１１０、デマンド期間表示領域１１１及び第２ボタン表示領域１１２を含んでいる。
【００６５】
第１ボタン表示領域１１０には、戻るボタンが表示される。戻るボタンがタップされると、情報表示画面１００から情報表示画面１００が表示される前の他の画面へと画面が遷移される。
【００６６】
デマンド期間表示領域１１１には、グラフ表示領域１０２で表示される実測値（デマンド時限における平均消費電力）が計測された期間（デマンド時限）が表示される。図３では、デマンド時限として“２０１５年１１月８日（日）１３：３０〜１４：００”がデマンド期間表示領域１１１に表示される。
【００６７】
第２ボタン表示領域１１２には、拡大ボタンが表示される。拡大ボタンがタップされると、グラフ表示領域１０２で表示されるグラフが拡大されて表示される。
【００６８】
グラフ表示領域１０２は、第１表示領域１２０及び第２表示領域１３０を含んでいる。
【００６９】
第１表示領域１２０には、２軸のうち一方の軸をデマンド時限とし、他方の軸を施設５での平均消費電力（電力）とするグラフが表示される。具体的には、第１表示領域１２０には、デマンド時限において計測された実測値を表す実線であるグラフＧ１、デマンド時限における目標電力を表す目標ラインＧ２及びデマンド時限における基準電力を表す実線であるグラフＧ３が表示される。目標ラインＧ２は、デマンド時限において設定された目標電力（目標値）であるので、時間経過に関係なく一定である。グラフＧ３は、デマンド時限において目標電力を超えるか否かの判断基準となるグラフである。本実施形態では、グラフＧ３は、期間経過とともに単純増加するグラフであり、デマンド時限の開始時点から終了時点までの間で電力の最小値“０”から後述する第２境界値までを結ぶ直線である。
【００７０】
第１表示領域１２０には、デマンド時限において機器５０に対する制御が実行されたタイミングを表すタイミング情報が表示される。タイミング情報は、機器５０に対する制御が実行された時刻（制御時刻）を開始点として電力を表す軸と平行な直線（ここでは、破線）で表される。例えば、図３では、破線で表された制御時刻ラインＣ１〜Ｃ４がデマンド時限において機器５０に対する制御が実行されたタイミングを表すタイミング情報である。
【００７１】
さらに、第１表示領域１２０には、グラフＧ１、目標ラインＧ２及びグラフＧ３が表示されるエリア内において、目標値超過エリア１２１、遮断警報エリア１２２、注意警報エリア１２３及び警報なしエリア１２４を識別できるように色分けされている。目標値超過エリア１２１は、目標電力を超えるエリアを表す。遮断警報エリア１２２は、目標電力から目標電力に所定の第１値（ここでは、９５％）を乗じた値（第１境界値）までのエリアを表す。注意警報エリア１２３は、第１境界値から目標電力に所定の第２値（ここでは、９０％）を乗じた値（第２境界値）までのエリアを表す。警報なしエリア１２４は、第２境界値以下のエリアを表す。
【００７２】
コントローラ２１は、デマンド時限で施設５の平均消費電力を計測中において、計測結果（計測された平均消費電力）からデマンド時限の終了時点での平均消費電力を予測する。コントローラ２１は、予測した平均消費電力（見込電力）が第２境界を越えた場合には、上述した第１パターン〜第７パターンのいずれかの制御パターンを、予め設定されたデマンド制御の設定内容に応じて実行する。コントローラ２１は、予測した平均消費電力（見込電力）が第１境界を越えた場合には、上述した第８制御パターンを実行する。コントローラ２１は、予測した平均消費電力（見込電力）が目標電力を超えた場合には、現在の電力の使用状況では目標値を超過することを表す警告をユーザに報知する。例えば、コントローラ２１は、警告を情報端末３に表示する。
【００７３】
つまり、注意警報エリア１２３は、予め設定されたデマンド制御の設定内容に応じた制御が行われる場合の見込電力の範囲を表す。遮断警報エリア１２２は、第８パターンによる制御が行われる場合の見込電力の範囲を表す。目標値超過エリア１２１は、デマンド制御を行っても平均消費電力が目標電力を超過する、つまりデマンド制御で平均消費電力の目標値以下とすることが不可能となる見込電力の範囲を表す。
【００７４】
第２表示領域１３０は、エリア凡例領域１３１及びグラフ凡例領域１３２を含んでいる。エリア凡例領域１３１には、上述した４つのエリアを区別するための情報が表示される。エリア凡例領域１３１は、値表示領域１３３〜１３５を有している。値表示領域１３３には、目標電力が表示される。値表示領域１３４には、目標電力に乗ずる第１値（ここでは、９５％）と、第１境界値とが表示される。値表示領域１３５には、目標電力に乗ずる第２値（ここでは、９０％）と、第２境界値とが表示される。グラフ凡例領域１３２には、上述したグラフＧ１、目標ラインＧ２及びグラフＧ３を区別するための情報が表示される。
【００７５】
リンク情報表示領域１０３には、他画面に遷移するための情報が表示される。例えば、リンク情報表示領域１０３には、複数のリンクボタンが表示される。リンクボタンをタップすることで、デマンド期間表示領域１１１の日付時刻におけるリンク先の画面（グラフ等の画面）が表示される。
【００７６】
デマンド電力表示領域１０４では、デマンド期間表示領域１１１で表示されたデマンド時限で計測されたデマンド電力（デマンド時限における平均消費電力）が表示される。
【００７７】
制御情報表示領域１０５は、設定情報表示領域１４０及び制御内容表示領域１４１を含んでいる。
【００７８】
設定情報表示領域１４０は、制御方式表示領域１４２及び切替方式表示領域１４３を含んでいる。制御方式表示領域１４２には、優先方式及びサイクリック方式のうち、デマンド時限において行われた制御方式を表す情報が表示される。図３では、デマンド期間表示領域１１１で表示されたデマンド時限では制御方式として優先方式が採用されていたので、制御方式表示領域１４２には、優先方式を表す“優先”が表示されている。切替方式表示領域１４３には、順次切替方式及び容量切替方式のうち、デマンド時限において行われた切替方式を表す情報が表示される。図３では、デマンド期間表示領域１１１で表示されたデマンド時限では切替方式として順次切替方式が採用されていたので、切替方式表示領域１４３には、順次切替方式を表す“順次切替”が表示されている。
【００７９】
制御内容表示領域１４１には、デマンド時限において行われた機器５０に対する制御についての内容が表示される。具体的には、制御内容表示領域１４１には、制御番号、制御時刻及び制御パターンの組を表示する。制御番号は、デマンド時限において行われた機器５０の制御の順序を表す。制御時刻は、デマンド時限において機器５０の制御が行われた時刻を表す。制御パターンは、第１パターン〜第９パターンのうちデマンド時限において行われた制御パターンを表す。ここで、第１表示領域１２０のデマンド時限を表す軸（時間軸）上において、制御時刻で表される時刻と同一時刻にタイミング情報が表示されている。例えば、図３では、第１表示領域１２０のデマンド時限を表す軸（時間軸）上において、第１パターンが実行された制御時刻“１３：４２”と同一時刻にタイミング情報として制御時刻ラインＣ１が、表示されている。第１表示領域１２０の時間軸上において、第２パターン〜第４パターンが実行された制御時刻“１３：４４”，“１３：４８”，“１３：５３”の各々と同一時刻にタイミング情報として制御時刻ラインＣ２、Ｃ３，Ｃ４が、表示されている。
【００８０】
出力指示表示領域１０６では、デマンド時限における１分ごとの平均消費電力を表す情報及びデマンド時限における制御情報をダウンロードするための指示を行うボタン１５０が表示されている。ボタン１５０がタップされると、デマンド期間表示領域１１１で表示されたデマンド時限における１分ごとの平均消費電力を表す情報及びデマンド時限における制御情報が情報端末３にダウンロードされる。
【００８１】
（５）画面の変形例
ここで、情報表示画面１００の変形例である情報表示画面１００ａについて説明する。情報表示画面１００では、制御に関する情報としてタイミング情報（グラフ）のみを第１表示領域１２０に表示している。変形例の情報表示画面１００ａでは、制御に関する情報としてタイミング情報（グラフ）と、制御が行われた制御パターンについての情報とが、第１表示領域１２０に表示される。
【００８２】
図４に、変形例の情報表示画面１００ａの一例を示す。変形例の情報表示画面１００ａでは、タイミング情報に対応付けられた吹き出し領域が含まれる。図４では、タイミング情報（制御時刻ラインＣ１〜Ｃ４）に対して吹き出し領域Ｂ１〜Ｂ４が、それぞれ対応付けられている。吹き出し領域Ｂ１では、制御時刻ラインＣ１に対応する制御時刻（１３：４２）に実行された制御パターン（第１パターン）が表示される。吹き出し領域Ｂ２〜Ｂ４では、制御時刻ラインＣ１〜Ｃ４に対応する制御時刻（１３：４４，１３：４８，１３：５３）に実行された制御パターン（第２パターン〜第４パターン）が表示される。
【００８３】
なお、吹き出し領域には、実行された制御パターンの他、制御パターンが実行された時刻（制御時刻）が表示されてもよい。また、情報表示画面１００ａにおいて、制御内容表示領域１４１は必須でない。
【００８４】
また、情報表示画面１００において、タイミング情報を表すグラフをタッチ、又はカーソルを合わせたときに、当該タイミング情報に対する詳細な情報を吹き出し領域に表示してもよい。例えば、制御時刻ラインＣ１をタッチ、又はカーソルが合わされた場合には、実行された制御パターン（第１パターン）が制御時刻ラインＣ１に対応する吹き出し領域に表示される。
【００８５】
（６）変形例
以下に、変形例について列記する。なお、以下に説明する変形例は、上記実施形態及び画面の変形例と適宜組み合わせて適用可能である。
【００８６】
上記実施形態では、デマンド時限と平均消費電力との関係をグラフで表示する構成としたが、この構成に限定されない。情報表示画面１００において、デマンド時限と平均消費電力量との関係がグラフで表示されてもよい。上述したように、デマンド時限における平均消費電力はデマンド時限における消費電力量に定数を掛けた値であるから、図３，４の第１表示領域１２０における電力を表す軸を、平均消費電力量に読み替えても図３，４で表すグラフＧ１と同様のグラフになる。
【００８７】
上記実施形態では、情報表示画面１００は、電力情報及び制御情報の他、目標電力及び基準電力を表示対象として含む構成としたが、この構成に限定されない。情報表示画面１００は、少なくとも電力情報及び制御情報を表示対象として含んでいればよい。
【００８８】
上記実施形態では、表示システム１０（サーバ１）は、デマンド制御に関する情報を表示部３１に表示させる構成としたが、この構成に限定されない。表示システム１０（サーバ１）は、施設５における所定期間での消費電力量に関する電力情報と、所定期間での消費電力量に影響を及ぼす制御に関する制御情報を表示部３１に表示させる構成であればよい。なお、制御情報には、制御を行ったタイミングに関するタイミング情報が含まれることが好ましい。
【００８９】
上記実施形態では、コントローラ２１は、電流センサ２２で計測された電流の値、つまり受変電設備６１に入力される電流の値をもとに、平均消費電力を計測する構成としたが、この構成に限定されない。コントローラ２１は、分岐回路に流れる電流の値を計測し、その値から当該分岐回路でのデマンド電力（平均消費電力）を求めてもよい。この場合、情報表示画面１００では、分岐回路における平均消費電力であること表す情報が表示されることが好ましい。
【００９０】
上記実施形態において、タイミング情報は、実行された制御パターンに応じて色分けされて表示されてもよい。
【００９１】
上記実施形態において、情報表示画面１００は、デマンド時限において実行された制御パターンの詳細を表示する画面に遷移するボタン（第１遷移ボタン）を含んでもよい。この場合、第１遷移ボタンは、リンク情報表示領域１０３に表示されてもよい。または、制御内容表示領域１４１で表示される制御番号、制御時刻及び制御パターンの組のうち制御パターンに、第１遷移ボタンとしての機能を設けてもよい。例えば、図３において、制御内容表示領域１４１で表示されている制御パターン“第１パターン”がタップされると、第１パターンの詳細な制御内容が表示される画面に遷移する。
【００９２】
上記実施形態において、情報表示画面１００は、制御パターンで設定された制御内容を変更する画面に遷移するボタン（第２遷移ボタン）を含んでもよい。この場合、第２遷移ボタンは、リンク情報表示領域１０３に表示されてもよい。または、制御内容表示領域１４１で表示される制御番号、制御時刻及び制御パターンの組のうち制御パターンに、第２遷移ボタンとしての機能を設けてもよい。例えば、図３において、制御内容表示領域１４１で表示されている制御パターン“第１パターン”がタップされると、第１パターンの制御内容を変更する画面に遷移する。
【００９３】
また、制御内容表示領域１４１で表示される制御番号、制御時刻及び制御パターンの組のうち制御パターンに、第１遷移ボタン及び第２遷移ボタンの双方の機能を備えてもよい。この場合、制御パターンがタップされると、制御の詳細画面に遷移するか、制御の変更画面に遷移するかのメニュー画面が表示される。その後、いずれかを選択することでユーザが所望する画面に遷移する。
【００９４】
上記実施形態では、施設５は、１つのコントローラ２１を設けている構成としたが、この構成に限定されない。施設５は、複数のコントローラ２１を設けてもよい。この場合、情報表示画面１００は、複数のコントローラ２１のうち１つのコントローラ２１の制御情報を表示、つまり１つのコントローラ２１のタイミング情報、制御方式、切替方式、制御の内容（制御時刻、制御パターン等）を含む。または、情報表示画面１００は、複数のコントローラ２１すべての制御情報を含んでもよい。複数のコントローラ２１すべての制御情報が表示される場合には、表示部３１は、コントローラ２１の各々に応じたタイミング情報を色分けして表示することが好ましい。
【００９５】
上記実施形態において、情報表示画面１００では、過去のデマンド時限における制御情報、平均消費電力を表示する構成としたが、この構成に限定されない。情報表示画面１００はリアルタイムの制御情報、平均消費電力を表示してもよい。この場合、制御内容表示領域１４１には、現時点で制御されている制御パターンのみを含んでもよいし、現時点を含むデマンド時限において、実行された制御パターンすべてを含んでもよい。つまり、制御内容表示領域１４１には、現時点を含むデマンド時限において、当該デマンド時限で実行された少なくとも１つの制御パターンを含んでいればよい。
【００９６】
ここで、情報表示画面１００が、リアルタイムの制御情報、平均消費電力を表示する場合の情報表示画面１００ｂの一例を図５に示す。図５では、現時点の時刻が１３：４２である場合での表示の一例を示す。この場合、グラフ表示領域１０２の第１表示領域１２０では、１３：００〜１３：４２までの時間帯では、当該時間帯での実測値を表す実線であるグラフＧ１１が表示される。第１表示領域１２０では、１３：４２〜１３：００までは、上述した見込電力を表す破線であるグラフＧ１２が表示される。第２表示領域１３０のグラフ凡例領域１３２には、グラフＧ１１、グラグＧ１２、目標ラインＧ２及びグラフＧ３を区別するための情報が表示される。また、デマンド電力表示領域１０４では、現時刻でのデマンド電力（平均消費電力）が表示される。ここでは、デマンド電力表示領域１０４では、時刻１３：４２でのデマンド電力（１６０ｋＷ）が表示されている。図５の例では、デマンド時限の終了時点（１４：００）で見込電力が上述した第２境界値を超えている。そのため、時刻１３：４２の時点でデマンド制御（例えば、第１パターンによる制御）が行われる。時刻１４：００以降に、デマンド時限（２０１５年１１月８日  １３：３０〜１４：００）における制御情報、平均消費電力を表示する場合には、１３：４２の時点で制御時刻ライン（例えば、図３に示す制御時刻ラインＣ１）が表示されることとなる。なお、図５の例では、現時点の時刻１３：４２に行われたデマンド制御（第１パターン）についての制御時刻ラインＣ１が表示されていない。しかしながら、現時刻１３：４２で行われたデマンド制御（ここでは、第１パターン）についての制御時刻ラインＣ１が表示されてもよい。
【００９７】
上記実施形態では、コントローラ２１は、見込電力が第２境界値を超えた場合にデマンド制御として、第１パターン〜第７パターンのいずれかを行う、つまりデマンド制御を開始する構成としたが、この構成に限定されない。コントローラ２１は、見込電力が第１境界値を超えた場合にデマンド制御を開始してもよい。この場合、コントローラ２１は、見込電力が第１境界値を超えた場合にはユーザに平均消費電力が目標電力を超過する可能性があることを表す警告を行う。コントローラ２１は、見込電力が目標電力を超えた場合に第８パターンを実行してもよい。これにより、コントローラ２１は、平均消費電力のうち目標電力を超える超過分を最小限に抑えることができる。
【００９８】
上記実施形態において、コントローラ２１は、計測値（平均消費電力）が上述した第２境界値を超えた場合に、第１パターン〜第７パターンのいずれかの制御パターンによる機器５０の制御を開始してもよい。上記実施形態において、コントローラ２１は、計測値（平均消費電力）が上述した第１境界値を超えた場合には、強制的に第８パターンを実行してもよい。
【００９９】
さらに、コンピュータシステムである表示システム１０は、１または複数のコンピュータで構成されるシステムであってもよい。つまり、表示システム１０がサーバ１で構成されることは必須ではない。例えば、表示システム１０は、サーバ１、１つ以上のコントローラ２１、情報端末３のうち少なくとも１つの装置によって構成されてもよい。また、表示システム１０の少なくとも一部の機能は、例えばクラウド（クラウドコンピューティング）によって実現されてもよい。また、サーバ１、１つ以上のコントローラ２１及び情報端末３の各々の機能は分散されて設けられていてもよい。
【０１００】
例えば、コントローラ２１は、情報表示画面１００を生成し、表示部３１に表示してもよい。
【０１０１】
または、コントローラ２１が機器５０を制御する代わりに、サーバ１が機器５０を制御してもよい。この場合、情報表示画面１００の作成は、サーバ１及びコントローラ２１のいずれで行ってもよい。
【０１０２】
上記実施形態において、複数のＩ／Ｏ装置２５は、複数の機器５０と一対一に通信可能な構成としたが、この構成に限定されない。Ｉ／Ｏ装置２５は、２つ以上の機器５０と通信可能な構成であってもよい。この場合、２つ以上の機器５０と通信可能なＩ／Ｏ装置２５は、コントローラ２１からの制御コマンドに基づいて、２つ以上の機器５０を一括制御することができる。なお、Ｉ／Ｏ装置２５は、２つ以上の機器５０を個別に制御してもよい。
【０１０３】
上記実施形態において、計測システム２０では、コントローラ２１が施設５に設けられた幹線及び複数の分岐回路に流れる電流の値をそれぞれ計測する構成としたが、この構成に限定されない。計測システム２０は、施設５に設けられた複数の分岐回路に流れる電流の値をそれぞれ計測する計測装置を備えてもよい。この場合、コントローラ２１は、計測装置から幹線及び各分岐回路の計測結果を取得する。
【０１０４】
上記実施形態において、表示制御部１５は、情報端末３の表示部３１に表示する画面を作成する構成としたが、この構成に限定されない。表示制御部１５は、情報端末３に所望の表示画面を表示させるための画面情報を作成してもよい。例えば、情報端末３が表示画面を表示するためのアプリケーションを有していれば、画面情報はアプリケーションと共同して表示画面を表示するためのデータであってもよい。また例えば、情報端末３のアプリケーションが表示画面の画像データの全てを有していれば、画面情報は、画像データにより表示画面を構成するためのデータであってもよい。あるいは、情報端末３のアプリケーションが表示画面の画像データの一部を有していれば、画面情報は、画像データの残りの部分であってもよい。
【０１０５】
（まとめ）
以上説明したように、第１の態様の表示方法は、表示部３１を有する情報端末３に情報を表示する。表示方法は、電力情報と、制御情報とを、表示部３１に表示する表示ステップを、含む。電力情報は、施設５における所定期間（例えば、デマンド時限）での消費電力量に関する情報である。制御情報は、所定期間での消費電力量に影響を及ぼす制御に関する情報であって制御を行ったタイミングに関するタイミング情報（例えば、制御時刻、図３，４に示す制御時刻ラインＣ１〜Ｃ４）を含む。
【０１０６】
この表示方法によると、タイミング情報を表示部３１に表示するので、所定期間での消費電力に影響を及ぼす制御が実行されたことをユーザ（施主、工事担当者等）に確認させることができる。また、この表示方法によると、電力情報も表示部３１に表示するので、制御が実行された前後の電力情報から、当該制御を行ったことによる効果をユーザに確認させることができる。
【０１０７】
第２の態様の表示方法では、第１の態様において、制御情報は、所定期間で行われた複数の制御のうち少なくとも１つの制御の内容（例えば、制御パターン）をさらに含む。この表示方法によると、所定期間で行われた制御の内容を、ユーザに確認させることができる。
【０１０８】
第３の態様の表示方法では、第２の態様において、制御情報は、所定期間で行われたすべての制御の内容を含む。この表示方法によると、所定期間で行われたすべての制御の内容を、ユーザに確認させることができる。
【０１０９】
第４の態様の表示方法では、第１〜３のいずれかの態様において、制御は、消費電力量が低下するように施設５の機器５０の動作を抑止する、又は動作が抑止された機器５０に対して動作の抑止を解除することである。この表示方法によると、制御として、機器５０の動作を抑止したこと、又は動作が抑止された機器５０に対して動作の抑止を解除したことを、ユーザに確認させることができる。
【０１１０】
第５の態様の表示方法では、第１〜４のいずれかの態様において、電力情報は、所定期間の開始時点から消費電力量の推移を表す推移情報（例えば、図３，４に示すグラフＧ１）を含む。この表示方法によると、所定菊花における消費電力量の推移を、ユーザに確認させることができる。
【０１１１】
第６の態様の表示方法では、第５の態様において、表示ステップは、タイミング情報と、推移情報とを同一の時間軸上で、表示部３１に表示する。この表示方法によると、時間軸上においてタイミング情報が表示される前後の消費電力量の推移を容易に視認するとこができる。そのため、当該制御を行ったことによる効果をユーザに確認させることができる。
【０１１２】
第７の態様の表示方法では、第１〜６のいずれかの態様において、前記表示ステップは、さらに、所定期間での消費電力量に対する施設５における目標値（目標電力）を表す目標値情報（例えば、図３，４に示す目標ラインＧ２）を、表示部３１に表示する。この表示方法によると、電力情報と目標値情報とをユーザに比較させることができる。
【０１１３】
第８の態様の表示方法では、第７の態様において、前記表示ステップは、さらに、基準値情報を、表示部３１に表示する。基準値情報は、所定期間の開始時点における消費電力量が目標値情報で表される目標値より得られる値であって目標値より小さい値に到達するまでの基準値（例えば、図３，４に示すグラフＧ３）について所定期間の開始時点からの推移を表す。この表示方法によると、電力情報と目標値情報と基準値情報とをユーザに比較させることができる。
【０１１４】
第９の態様の表示方法では、第１〜８のいずれかの態様において、表示ステップは、さらに、遷移情報（第１遷移ボタン、第２遷移ボタン）を、表示部３１に表示する。遷移情報は、制御の詳細を表示する画面に遷移するための情報、又は制御の内容を変更する画面に遷移するための情報を含む。この表示方法によると、制御の詳細な内容の確認、又は制御の内容の変更を、ユーザに行わせることができる。
【０１１５】
第１０の態様の表示方法では、第１〜９のいずれかの態様において、制御は、施設５で使用する電力についてのデマンド制御である。この表示方法によると、所定期間（デマンド時限）でのデマンド制御が実行されたことをユーザに確認させることができる。
【０１１６】
第１１の態様のプログラムは、コンピュータに、第１〜第１０のいずれかの態様の表示方法を、実行させるためのプログラムである。このプログラムによると、タイミング情報を表示部３１に表示するので、所定期間での消費電力に影響を及ぼす制御が実行されたことをユーザ（施主、工事担当者等）に確認させることができる。また、プログラムによると、電力情報も表示部３１に表示するので、制御が実行された前後の電力情報から、当該制御を行ったことによる効果をユーザに確認させることができる。
【０１１７】
第１２の態様の表示システム１０は、表示部３１を有する情報端末３に情報を表示する。表示システム１０は、電力情報と、制御情報とを、表示部３１に表示する表示制御部１５を、備える。電力情報は、施設５における所定期間での消費電力量についての情報である。制御情報は、所定期間での消費電力量に影響を及ぼす制御についての情報であって制御を行ったタイミングに関するタイミング情報を含む。
【０１１８】
この構成によると、表示システム１０は、タイミング情報を表示部３１に表示するので、所定期間での消費電力に影響を及ぼす制御が実行されたことをユーザ（施主、工事担当者等）に確認させることができる。また、表示システム１０は、電力情報も表示部３１に表示するので、制御が実行された前後の電力情報から、当該制御を行ったことによる効果をユーザに確認させることができる。
【符号の説明】
【０１１９】
１    サーバ
３    情報端末
５    施設
１０    表示システム
１５    表示制御部
３１    表示部
５０    機器
Ｃ１〜Ｃ４    制御時刻ライン（タイミング情報）
Ｇ１、Ｇ１１    グラフ（推移情報）
Ｇ２    目標ライン（目標値情報）
Ｇ３    グラフ（基準値情報）
【図１】
2018121477.tif 000003
【図２】
2018121477.tif 000004
【図３】
2018121477.tif 000005
【図４】
2018121477.tif 000006
【図５】
2018121477.tif 000007